(57)【要約】【課題】  個々人の鼻部の形状、大きさ、高さ及び鼻梁部の傾斜に応じて鼻パッドが多方向的に弾性変形するフィット性に優れ装着感の高い鼻パッドを提供する。【解決手段】  眼鏡のフロントフレームに連結される連結部３と、この連結部３の先端に設けられ眼鏡装着者の鼻部に接触する接触部２とが一体に形成された鼻パッド１において、接触部２は少なくとも一カ所の支持部２ａで連結部３によって支持され、接触部２は環状部材の少なくとも一カ所に開放部２ｂが形成され、開放部２ｂで分離された前記環状部材の一方２１と他方２２のそれぞれが前記鼻部の形状に合わせて弾性変形する。開放部２ｂで分離された前記環状部材の一方２１及び他方２２のそれぞれが連結部３によって支持されていてもよい。【選択図】  図１
2018180250.tif 000002
【特許請求の範囲】
【請求項１】
眼鏡のフロントフレームに連結される連結部と、この連結部の先端に設けられ眼鏡装着者の鼻部に接触する接触部とが一体に形成された鼻パッドにおいて、
前記接触部は少なくとも一カ所の支持部で前記連結部によって支持され、
前記接触部は環状部材の少なくとも一カ所に開放部が形成され、
前記開放部で分離された前記環状部材の一方と他方のそれぞれが前記鼻部の形状に合わせて弾性変形すること、
を特徴とする眼鏡の鼻パッド。
【請求項２】
前記開放部で分離された前記環状部材の一方及び他方のそれぞれが前記連結部によって支持されていることを特徴とする請求項１に記載の眼鏡の鼻パッド。
【請求項３】
前記連結部は、前記接触部を前記支持部で支持する一つ又は複数の緩衝部材を有し、この緩衝部材は、前記眼鏡を装着したときに、前記鼻部の傾斜に合わせて前記接触部の角度を調整するように弾性変形すること、
を特徴とする請求項１又は２に記載の眼鏡の鼻パッド。
【請求項４】
前記連結部は、前記眼鏡を装着したときに、前記鼻部の幅に合わせて左右の前記接触部間の間隔を調整するように弾性変形する脚部を有すること、
を特徴とする請求項１〜３のいずれかに記載の眼鏡の鼻パッド。
【請求項５】
前記開放部を形成した部分と前記支持部との距離によって、前記接触部の弾性変形の大きさを調整することを特徴とする請求項１〜４のいずれかに記載の眼鏡の鼻パッド。
【請求項６】
前記緩衝部材が前記接触部に対して渦状に傾斜して形成されていることを特徴とする請求項３〜５のいずれかに記載の眼鏡の鼻パッド。
【請求項７】
左右の鼻パッドの前記連結部を接続部材で接続したことを特徴とする請求項１〜６のいずれかに記載の眼鏡の鼻パッド。
【発明の詳細な説明】
【技術分野】
【０００１】
本発明は、眼鏡の鼻パッドに関し、特に眼鏡装着者の鼻の形状や大きさなどに応じてより形状が変化する装着感に優れた眼鏡の鼻パッドに関する。
【背景技術】
【０００２】
眼鏡は、フロント枠に取付けられた鼻パッドを鼻に当てることで眼鏡を支えるようにしている。従来の鼻パッドは、その接触面が平面状であったため、曲面である鼻部の形状と必ずしも一致せず、装着感がよいとは言えなかった。
そこで、特許文献１に記載の眼鏡パットのように、パットに四方八方に柔軟性と弾力性を持たせ、パットの鼻あたりを柔らかくフィットするようにしたもの、特許文献２に記載の高弾性パッドのように腎臓状の輪郭をした縁を有するパッドと受箱とを複数本の細いビームとで連結し、鼻に当たるパッドの面圧が均一になるようにしたもの、特許文献３に記載するように、ノーズパッドの裏面に突起部材と梁部材とからなるばね機構部を設けることでフィット性にすぐれ装着感を良好にしたものなどが提案されている。
【先行技術文献】
【特許文献】
【０００３】
【特許文献１】特開平１１−２３７５９０号公報
【特許文献２】特開昭５６−１４４４１２号公報
【特許文献３】特開平１０−１７０８７１号公報
【発明の開示】
【発明が解決しようとする課題】
【０００４】
しかしこれら文献に記載の鼻パッドは、従来の平面状の鼻パッドに比べて鼻表面へのフィット性が向上し装着性も改良されるものの、鼻の形状、大きさ、高さ及び鼻梁部の傾斜は個人や人種によって相違するため、未だフィット性及び装着感が不十分であるという問題がある。
本発明はこのような問題を解決するためになされたもので、簡単な構成で個々人の鼻部の形状、大きさ、高さ及び鼻梁部の傾斜に応じて鼻パッドが多方向的に弾性変形することで、フィット性に優れ装着感の高い眼鏡の鼻パッドの提供を目的とする。
【課題を解決するための手段】
【０００５】
上記の課題を解決するために請求項１に記載の眼鏡の鼻パッドは、眼鏡のフロントフレームに連結される連結部と、この連結部の先端に設けられ眼鏡装着者の鼻部に接触する接触部とが一体に形成された鼻パッドにおいて、前記接触部は少なくとも一カ所の支持部で前記連結部によって支持され、前記接触部は環状部材の少なくとも一カ所に開放部が形成され、前記開放部で分離された前記環状部材の一方と他方のそれぞれが前記鼻部の形状に合わせて弾性変形するように構成してある。
なお、本発明における「環状」とは、閉じた形状であれば円形，楕円形に限らず、三角形，四角形，多角形のような角形や不定形状なども含まれる概念である。
請求項２に記載するように、前記開放部で分離された前記環状部材の一方及び他方のそれぞれを前記連結部によって支持するようにしてもよい。
このように構成することで、鼻部の形状に合わせて接触部が弾性変形することができる。
【０００６】
請求項３に記載するように、前記連結部は、前記接触部を前記支持部で支持する一つ又は複数の緩衝部材を有し、この緩衝部材は、前記眼鏡を装着したときに、前記鼻部の傾斜に合わせて前記接触部の角度を調整するように弾性変形する構成としてもよい。
このように構成することで、接触部の角度を前記鼻部の傾斜に一致させることができ、よりフィット性を高め、装着感を向上させることができる。
また、請求項４に記載するように、前記連結部は、前記眼鏡を装着したときに、前記鼻部の幅に合わせて左右の前記接触部間の間隔を調整するように弾性変形する脚部を有するように構成してもよい。
このように構成することで、接触部の幅を前記鼻部の幅に一致させることができ、よりフィット性を高め、装着感を向上させることができる。
前記接触部の弾性変形の大きさは、請求項５に記載するように、前記開放部を形成した部分と前記支持部との距離によって調整することが可能である。
【０００７】
また、請求項６に記載するように、前記緩衝部材は前記接触部に対して渦状に傾斜するように形成してもよい。この場合、前記渦状の傾斜の方向は、前記眼鏡を装着したときの弾性変形により発生する力が前記眼鏡を持ち上げる方向に作用するように設定するとよい。前記緩衝部材を渦状に傾斜させることで、前記緩衝部材を変形しやすくすることができる。また、傾斜の設定方向によっては、鼻の傾斜に合わせて前記緩衝部材が弾性変形する際に、眼鏡を持ち上げる方向に反力を作用させることができ、眼鏡のずり下がりを抑制することが可能になる。
また、左右の鼻パッドの連結部を請求項７に記載するように接続部材で接続することで、左右の鼻パッドの脱落防止や紛失防止に有効である。
【発明の効果】
【０００８】
本発明は上記のように構成されているので、個々人の鼻の形状、大きさ、高さ及び鼻梁部の傾斜に応じて鼻パッドが多方向的に弾性変形することができ、フィット性に優れ装着感の高い鼻パッドを得ることができる。
また、開放部の数や位置、支持部の数や開放部からの距離などを種々に組み合わせることで、鼻の形状、大きさ、高さ及び鼻梁部の傾斜に応じてより多様多方向に弾性変形することのできる鼻パッドを得ることができる。
【発明を実施するための最良の形態】
【０００９】
本発明の鼻パッドの好適な実施形態を、図面を参照しながら詳細に説明する。
図１は、本発明の鼻パッドの第一の実施形態にかかり、その構成を説明する斜視図である。なお、この図では、眼鏡フレームに左右二つ設けられる鼻パッドのうちの一方についてのみ図示するが、他方についても左右対称である以外その構成は同じであるので、図示及び詳しい説明は省略する。
【００１０】
図１に示すように鼻パッド１は、図示しない眼鏡のフロントフレームに連結される連結部３と、この連結部３の先端に設けられ眼鏡装着者の鼻部に接触する接触部２とが一体に形成されている。
接触部２は環状に形成されていて、その少なくとも一カ所（図１の例では一カ所）を開放して開放部２ｂが形成されている。また、接触部２は、少なくとも一カ所の支持部２ａで連結部３によって支持されている。図示の例では、開放部２ｂで分離された接触部２の一方２１と他方２２のそれぞれが、一方２１及び他方２２の基端部の二カ所（支持部２ａ，２ａ）で連結部３によって支持されている。
【００１１】
接触部２は、開放部２ｂで分離された一方２１と他方２２のそれぞれが眼鏡装着者の鼻部の形状に合わせて柔軟に弾性変形する。接触部２のこのような弾性変形の大きさは、一方２１と他方２２の形状や各部の寸法（長さや肉厚など）及び一方２１と他方２２の長さＬによって調整することが可能であるほか、その材質を適宜選択することでも可能である。
接触部２を形成する材料としては、肌触り性の良いシリコーンや体温によって変形する性質を有する形状記憶ポリマー（ＳＭＰ）などの熱硬化性樹脂、ナイロン（ポリアミド）などの熱可塑性樹脂のほか、熱可塑性エラストマーであるスーパートリブレン（「トリブレン」は登録商標）などを用いることができる。
【００１２】
連結部３は、前記フロントフレームのブリッジ部又はリム部から突出して設けられた箱足に取り付けられる。取り付けの態様は特に限定されないが、例えば連結部３の基部３ａに形成した軸孔に軸状の箱足の先端を挿入することで、前記フロントフレームに連結部３を取り付けることができる。
【００１３】
この実施形態では、連結部３は前記箱足に取り付けられる脚部材３１と、この脚部材３１の先端を複数（図示の例では二つ）に分岐して形成した緩衝部材３２とを有している。そして、緩衝部材３２の先端が接触部２の支持部２ａ，２ａで接触部２に連結され、接触部２を支持している。
脚部材３１は、眼鏡を装着したときに前記眼鏡装着者の前記鼻部の幅に合わせて左右の鼻パッド１の接触部２の間隔を調整するように弾性変形する。
また、緩衝部材３２は、眼鏡を装着したときに眼鏡装着者の前記鼻部の傾斜に合わせて接触部２の角度を調整するように弾性変形する。
脚部材３１及び緩衝部材３２のこのような弾性変形の大きさは、形状や各部の寸法（長さや肉厚など）によって調整することが可能であるほか、その材質を適宜選択することでも可能である。接触部２と連結部３とは一体に形成されるが、接触部２，連結部材３を構成する脚部材３１及び緩衝部材３２は同一材質であってもよいし異種材質であってもよい。
【００１４】
［第二の実施形態］
図２は、本発明の鼻パッドの第二の実施形態にかかり、その構成を説明する斜視図である。
この実施形態における鼻パッド１は第一の実施形態の鼻パッドと同じであり、第一の実施形態の鼻パッド１と同一部位、同一部材には同一の符号を付して詳細な説明は省略する。
この実施形態では、左右の鼻パッド１，１がそれぞれの連結部３，３の基部３ａ，３ａで接続部材４により接続されている。
この接続部材４は可撓性と若干の伸縮性を有しており、左右の鼻パッド１，１とともに一体に成形することができる。また、左右の鼻パッド１，１を別体の接続部材４で接続するようにしてもよい。接続部材４と鼻パッド１，１とは同一材質であってもよいし異種材質であってもよい。
この接続部材４によって左右の連結部３，３の基部３ａ，３ａを接続することで、左右の連結部３，３を箱足から脱落しにくくすることができる。
【００１５】
［第三の実施形態］
図３（ａ）は、本発明の鼻パッドの第三の実施形態にかかり、その構成を説明する斜視図、図３（ｂ）は緩衝部材が傾斜している様子を説明するための鼻パッドの平面図である。なお、この図では、眼鏡フレームに左右二つ設けられる鼻パッドのうちの一方についてのみ図示するが、他方についても左右対称である以外その構成は同じであるので、図示及び詳しい説明は省略する。また、第一及び第二の実施形態と同一部位、同一部材には同一の符号を付して詳細な説明は省略する。
【００１６】
この実施形態において先の実施形態と異なる点は、緩衝部材３２が接触部２に対して渦状に傾斜して形成されている点である。このように緩衝部材３２を接触部２に対して傾斜させることで、傾斜させない場合に比して緩衝部材３２が変形しやすくなるという利点がある。
また、緩衝部材３２の傾斜方向は、眼鏡を装着したときの緩衝部材３２の弾性変形により発生する力が前記眼鏡を持ち上げる方向に設定するとよい。
すなわち、図３（ａ）に示すように緩衝部材３２を傾斜させれば、接触部２が鼻部に接触することで接触部２を持ち上げる方向、つまり図中の矢印Ｉ方向に力が作用すると、その反力の一部は矢印ＩＩ方向に作用する。従って、矢印ＩＩ方向に作用する前記反力が眼鏡を持ち上げる方向になるように傾斜方向を設定すればよい。また、傾斜の傾度によって矢印ＩＩ方向に作用する反力の大きさを調整することが可能である。
この場合、図３（ｂ）に示すように、三つの緩衝部材３２の支持部２ａを同一の円周Ａ上に配置し、三つの緩衝部材３２の渦方向の傾斜を同じにすれば、三つの緩衝部材３２が変形することによる眼鏡を持ち上げる方向の反力を同一の円周Ａ上に集中的に発生させることができる。
【００１７】
［本発明の他の実施形態］
本発明の他の実施形態を図４及び図５に示す。なお、各図においては接触部２の一方２１及び他方２２と支持点２ａとの関係のみを平面図で示しており、かつ、代表図面のみに符号を付して他の図については符号を省略している。
図４の例では開放部２ｂの数は一つで、図４（ａ）〜（ｃ）及び（ｉ）の例では支持部２ａの数は二つ、図４（ｄ）〜（ｆ）の例では支持部２ａの数は三つ、図４（ｇ）（ｈ）の例では支持部２ａの数は四つである。
【００１８】
図４（ａ）の例では、開放部２ｂによって分離された接触部２の一方２１と他方２２のそれぞれが、一方２１と他方２２が接する基端部（開放部２ｂの反対側）寄りの支持部２ａで連結部３によって支持されている。一方２１及び他方２２における開放部２ｂから支持部２ａまでの距離はほぼ同じとしてもよいし、異ならせてもよい。
図４（ｂ）の例では、一方２１の支持部２ａの位置が開放部２１ｂ寄りに配置され、他方２２の支持部２ａが前記基端部寄りに配置されている。
【００１９】
図４（ｃ）の例では、一方２１の支持部２ａ及び他方２２の支持部２ａの両方が開放部２１ｂ寄りに配置されている。一方２１及び他方２２における開放部２ｂから支持部２ａまでの距離はほぼ同じとしてもよいし、異ならせてもよい。
図４（ｄ）の例では、一方２１及び他方２２の同じ位置に支持部２ａが配置されているほか、一方２１及び他方２１の共通の基端部に一つの支持部２ａが配置されている。一方２１及び他方２２における開放部２ｂから支持部２ａまでの距離はほぼ同じとしてもよいし、異ならせてもよい。
【００２０】
図４（ｅ）の例では、一方２１及び他方２２における開放部２ｂから支持部２ａまでの距離を異ならせている。
図４（ｆ）の例では、一方２１に一つの支持部２ａを配置し、他方２２には二つの支持部２ａを配置している。
図４（ｇ）の例では、一方２１に二つの支持部２ａを配置し、他方２２にも二つの支持部２ａを配置しているとともに、四つの支持部２ａの配置位置を一方２１及び他方２２でほぼ同じとしている。なお、四つの支持部２ａの配置位置を一方２１及び他方２２で異ならせてもよい。
【００２１】
図４（ｈ）の例では、一方２１に一つの支持部２ａを配置し、他方２２に二つの支持部２ａを配置しているとともに、基端部に一つの支持部２ａを配置している。
図４（ｉ）の例では、一方２１と他方２２とでその長さを異ならせている。
【００２２】
図５の例では開放部２ｂが環状の接触部２の両端に二カ所形成されている。そして、図５（ａ）〜（ｃ）及び（ｉ）の例では支持部２ａの数は二つ、図５（ｄ）〜（ｆ）の例では支持部２ａの数は三つ、図５（ｇ）（ｈ）の例では支持部２ａの数は四つである。
図５（ａ）の例では、一方２１及び他方２２のほぼ中央に支持部２ａが一つづつ配置されている。
図５（ｂ）の例では、一方２１及び他方２２の両方が同じ開放部２ｂ寄りに配置されている。一方２１及び他方２２における開放部２ｂから支持部２ａまでの距離はほぼ同じとしてもよいし、異ならせてもよい。
【００２３】
図５（ｃ）の例では、一方２１及び他方２２のそれぞれが異なる開放部２ｂ寄りに配置されている。
図５（ｄ）の例では、一方２１の両方の開放部２ｂ寄りのそれぞれに支持部２ａを配置し、他方２２の一つの開放部２ｂ寄りに支持部２ａを配置している。
【００２４】
図５（ｅ）の例では、一方２１の一つの開放部２ｂ寄りの二つの支持部２ａを配置し、他方２２の一つの開放部２ｂ寄りに一つの支持部２ａを配置している。
図５（ｆ）の例では、一方２１及び他方２２の途中部位に、それぞれ二つの支持部２ａを配置している。一方２１及び他方２２における開放部２ｂから支持部２ａまでの距離はほぼ同じとしてもよいし、異ならせてもよい。
【００２５】
図５（ｇ）の例では、一方２１及び他方２２の異なる開放部２ｂ寄りにそれぞれ一つの支持部２ａが配置され、一方２１及び他方２２の途中部位にそれぞれ一つの支持部２ａが配置されている。
図５（ｈ）の例では、一方２１及び他方２２の長さを異ならせていて、図５（ｉ）の例では、一方２１及び他方２２を前後にずらしている。長さの異なる一方２１及び他方２２を図５（ｉ）のように前後にずらして配置してもよい。
【００２６】
図４及び図５では、接触部２の一方２１及び他方２２と支持点２ａのみを図示したが、参考のため図６に図４及び図５の一部における接触部２と緩衝部材３２及び脚部材３１との関係を概略的な斜視図で示す。
図６において、図６（ａ）は図４（ｃ）の例に、図６（ｂ）は図４（ｄ）の例に、図６（ｃ）は図５（ｂ）の例に、図６（ｄ）は図５（ｃ）の例に、図６（ｅ）は図５（ｉ）の例にそれぞれ対応している。
【００２７】
[本発明の一例にかかる鼻パッドの具体的形態]
本発明の一例にかかる鼻パッドの具体的形態を図８及び図９に六面図で示す。なお、図９の鼻パッドでは、形態上の特徴的な部分を実線で示し、それ以外の部分を破線で示しているが、当該破線部分も形態上の特徴的な部分として実線で示してもよい。
【００２８】
本発明の好適な実施形態について説明したが、本発明は上記の説明によって限定されるものではない。
例えば、図７に示すように支持部２ａの数は一つであってもよい。この場合、支持部２ａの位置は基端部に限らず一方２１側又は他方２２側のいずれにあってもよい。
また、開放部２ｂの数は３つ以上であってもよいし、開放部２ｂを形成する位置も環状の接触部２の両端に限られない。
さらに、箱足などへの本発明の鼻パッドの取付け形態は上記したものに限らず、例えば図８，９に示すように鼻パッドの連結部に突起を形成し、この突起と嵌合する嵌合部を前記箱足に形成するか、前記箱足に前記突起を形成し、前記嵌合部を前記鼻パッドの連結部に形成するようにしてもよい。
【図面の簡単な説明】
【００２９】
【図１】本発明の鼻パッドの第一の実施形態にかかり、その構成を説明する斜視図である。
【図２】本発明の鼻パッドの第二の実施形態にかかり、その構成を説明する斜視図である。
【図３】図３（ａ）は本発明の鼻パッドの第三の実施形態にかかり、その構成を説明する斜視図、図３（ｂ）は緩衝部材が傾斜している様子を説明するための鼻パッドの平面図である。
【図４】本発明の他の実施形態にかかり、開放部の数が一つの場合のいくつかの実施形態を示す概略図である。
【図５】本発明の他の実施形態にかかり、開放部の数が二つの場合のいくつかの実施形態を示す概略図である。
【図６】図６（ａ）は図４（ｃ）の例に、図６（ｂ）は図４（ｄ）の例に、図６（ｃ）は図５（ｂ）の例に、図６（ｄ）は図５（ｃ）の例に、図６（ｅ）は図５（ｉ）の例にそれぞれ対応する図で、接触部と緩衝部材及び脚部材との関係を概略的な斜視図で示したものである。
【図７】本発明のさらに他の実施形態にかかり、連結部と接触部とが一つの支持部で連結されている場合の例を示す斜視図である。
【図８】本発明の一実施形態にかかる鼻パッドの六面図である。
【図９】本発明の他の一実施形態にかかる鼻パッドの六面図で、形態上の特徴的な部分を実線で、それ以外を破線で示してある。
【符号の説明】
【００３０】
１      鼻パッド
２      接触部
２ａ    支持部
２ｂ    開放部
２１    一方
２２    他方
３      連結部
３ａ    基部
３１    脚部材
３２    緩衝部材
４      接続部材
Ｌ      接続部材の一方又は他方の長さ
【図１】
2018180250.tif 000003
【図２】
2018180250.tif 000004
【図３】
2018180250.tif 000005
【図４】
2018180250.tif 000006
【図５】
2018180250.tif 000007
【図６】
2018180250.tif 000008
【図７】
2018180250.tif 000009
【図８】
2018180250.tif 000010
【図９】
2018180250.tif 000011